(57)【要約】【課題】垂直ブランク区間の可変による輝度偏差を改善する液晶表示装置及びその駆動方法を提供する。【解決手段】本発明の液晶表示装置は、液晶表示パネルと、液晶表示パネルに光を提供する光源部と、同期信号をカウントしてフレーム内の垂直ブランク区間のカウンタ値を算出する垂直ブランク（ＶＢ）感知部と、垂直ブランク区間のカウンタ値と複数の基準カウンタ値とを比較して輝度補正値を算出する輝度補正値算出部と、フレームのアクティブ区間にノーマル輝度値のノーマルレベルを有し、垂直ブランク区間に輝度補正値の輝度レベルを有する光源駆動信号を光源部に提供する光源駆動部と、を備える。【選択図】図１
2020030398.tif 000002
【特許請求の範囲】
【請求項１】
液晶表示パネルと、
前記液晶表示パネルに光を提供する光源部と、
同期信号をカウントしてフレーム内の垂直ブランク区間のカウンタ値を算出する垂直ブランク（ＶＢ）感知部と、
前記垂直ブランク区間のカウンタ値と複数の基準カウンタ値とを比較して輝度補正値を算出する輝度補正値算出部と、
前記フレームのアクティブ区間にノーマル輝度値のノーマルレベルを有し、前記垂直ブランク区間に前記輝度補正値の補正レベルを有する光源駆動信号を前記光源部に提供する光源駆動部と、を備えることを特徴とする液晶表示装置。
【請求項２】
前記輝度補正値算出部は、前記垂直ブランク区間のカウンタ値を前記複数の基準カウンタ値と順次比較し、基準カウンタ値以上である場合に前記輝度補正値を段階的に算出することを特徴とする請求項１に記載の液晶表示装置。
【請求項３】
前記輝度補正値算出部は、前記垂直ブランク区間のカウンタ値が最も小さい基準カウンタ値よりも小さい場合、前記フレームのアクティブ区間に設定されたノーマル輝度値を維持することを特徴とする請求項１に記載の液晶表示装置。
【請求項４】
前記輝度補正値算出部は、次のフレームの開始信号が立ち上がると、次のフレームのアクティブ区間に設定されたノーマル輝度値に変更することを特徴とする請求項１に記載の液晶表示装置。
【請求項５】
前記複数の基準カウンタ値は、可変可能な複数の垂直ブランク区間のカウンタ値に対応することを特徴とする請求項１に記載の液晶表示装置。
【請求項６】
前記光源部は、複数の発光ブロックを含み、
前記光源駆動部は、前記複数の発光ブロックのそれぞれに提供される複数の光源駆動信号を生成することを特徴とする請求項１に記載の液晶表示装置。
【請求項７】
前記輝度補正値算出部は、前記垂直ブランク区間のカウンタ値と前記複数の基準カウンタ値とを比較して発光ブロック別に輝度補正値を算出し、
前記光源駆動部は、前記アクティブ区間に発光ブロック別に設定されたノーマル輝度値のノーマルレベルを有し、前記垂直ブランク区間に前記輝度補正値の補正レベルを有する光源駆動信号を生成することを特徴とする請求項６に記載の液晶表示装置。
【請求項８】
各発光ブロックに対応する表示ブロックのイメージデータをヒストグラム分析して表示ブロック別に代表階調を算出するヒストグラム分析部を更に含むことを特徴とする請求項６に記載の液晶表示装置。
【請求項９】
前記輝度補正値算出部は、前記垂直ブランク区間のカウンタ値と前記複数の基準カウンタ値とを比較し、前記代表階調に基づいて発光ブロック別に前記輝度補正値を算出することを特徴とする請求項８に記載の液晶表示装置。
【請求項１０】
複数のフレームに対応する複数の垂直ブランク区間のカウンタ値を予め設定された基準値と比較し、現フレームが、垂直ブランク区間が可変するＡｄａｐｔｉｖｅ−Ｓｙｎｃモードであるか、又は垂直ブランク区間が一定である一般の同期モードであるかを決定するモード決定部を更に含むことを特徴とする請求項１に記載の液晶表示装置。
【請求項１１】
液晶表示装置の駆動方法であって、
同期信号をカウントしてフレーム内の垂直ブランク区間のカウンタ値を算出するステップと、
前記垂直ブランク区間のカウンタ値と複数の基準カウンタ値とを比較して輝度補正値を算出するステップと、
前記フレームのアクティブ区間にノーマル輝度値のノーマルレベルを有し、前記垂直ブランク区間に前記輝度補正値に基づく補正レベルを有する光源駆動信号を生成するステップと、を有することを特徴とする液晶表示装置の駆動方法。
【請求項１２】
前記垂直ブランク区間のカウンタ値を前記複数の基準カウンタ値と順次比較し、基準カウンタ値以上である場合に前記輝度補正値を段階的に算出するステップを更に含むことを特徴とする請求項１１に記載の液晶表示装置の駆動方法。
【請求項１３】
前記垂直ブランク区間のカウンタ値が最も小さい基準カウンタ値よりも小さい場合、前記フレームのアクティブ区間に設定されたノーマル輝度値を維持するステップを更に含むことを特徴とする請求項１１に記載の液晶表示装置の駆動方法。
【請求項１４】
次のフレームの開始信号が立ち上がると、次のフレームのアクティブ区間に設定されたノーマル輝度値に変更するステップを更に含むことを特徴とする請求項１１に記載の液晶表示装置の駆動方法。
【請求項１５】
前記複数の基準カウンタ値は、可変可能な複数の垂直ブランク区間のカウンタ値に対応することを特徴とする請求項１１に記載の液晶表示装置の駆動方法。
【請求項１６】
複数の発光ブロックのそれぞれに複数の光源駆動信号を提供するステップを更に含むことを特徴とする請求項１１に記載の液晶表示装置の駆動方法。
【請求項１７】
前記垂直ブランク区間のカウンタ値と前記複数の基準カウンタ値とを比較して発光ブロック別に輝度補正値を算出するステップと、
前記アクティブ区間に発光ブロック別に設定されたノーマル輝度値のノーマルレベルを有し、前記垂直ブランク区間に前記輝度補正値の補正レベルを有する光源駆動信号を生成するステップと、を更に含むことを特徴とする請求項１６に記載の液晶表示装置の駆動方法。
【請求項１８】
各発光ブロックに対応する表示ブロックのイメージデータをヒストグラム分析して表示ブロック別に代表階調を算出するステップを更に含むことを特徴とする請求項１６に記載の液晶表示装置の駆動方法。
【請求項１９】
前記垂直ブランク区間のカウンタ値と前記複数の基準カウンタ値とを比較し、前記代表階調に基づいて発光ブロック別に前記輝度補正値を算出するステップを更に含むことを特徴とする請求項１８に記載の液晶表示装置の駆動方法。
【請求項２０】
複数のフレームに対応する複数の垂直ブランク区間のカウンタ値を予め設定された基準値と比較し、現フレームが、垂直ブランク区間が可変するＡｄａｐｔｉｖｅ−Ｓｙｎｃモードであるか、又は垂直ブランク区間が一定である一般の同期モードであるかを決定するステップを更に含むことを特徴とする請求項１１に記載の液晶表示装置の駆動方法。
【発明の詳細な説明】
【技術分野】
【０００１】
本発明は、液晶表示装置及びその駆動方法に関し、より詳細には、表示品質を改善するための液晶表示装置及びその駆動方法に関する。
【背景技術】
【０００２】
一般的に、液晶表示装置（Ｌｉｑｕｉｄ  Ｃｒｙｓｔａｌ  Ｄｉｓｐｌａｙ：ＬＣＤ）は、液晶の光透過率を用いて映像を表示する液晶表示パネルと、液晶表示パネルを駆動する駆動回路と、液晶表示パネルの下部に配置されて液晶表示パネルに光を提供するバックライトユニットとを含む。
【０００３】
外部のグラフィック処理装置（Ｇｒａｐｈｉｃ  Ｐｒｏｃｅｓｓｉｎｇ  Ｕｎｉｔ：ＧＰＵ））は、イメージデータを構成するイメージフレームのイメージフレームレートをリアルタイムで可変する。スケーラー（Ｓｃａｌｅｒ）は、イメージフレームレートを、液晶表示パネルに映像を表示するためのパネル駆動フレームのパネルフレームレートで調節して液晶表示装置に提供する。
【０００４】
イメージフレームレートがパネルフレームレートよりも遅いか又は速いと、液晶表示装置に前フレームのイメージが出力される途中で現フレームのイメージが出力されるか、或いは現フレームのイメージが出力される途中で次のフレームのイメージが出力される。これによって、液晶表示装置に表示される画面にテアリング現象（ｔｅａｒｉｎｇ）が発生する。
【０００５】
このようなテアリング現象を改善するために、スケーラーは、垂直同期化のために、垂直同期化モードで駆動する。垂直同期化モードでは、フレームレートが遅いと、スケーラーは、前フレームのイメージを繰り返して液晶表示装置に出力する。これによって、液晶表示装置に表示される画面が遅延される現象（ｓｔｕｔｔｅｒｉｎｇ）が発生する。
【０００６】
このようなイメージフレームレートの可変による問題点を改善するために、パネル駆動フレーム内の垂直ブランク（ｖｅｒｔｉｃａｌ  ｂｌａｎｋ）の区間を増加又は減少させてイメージフレームレートに一致させるＡｄａｐｔｉｖｅ−Ｓｙｎｃ（適応的同期）技術が提案されている。パネル駆動フレーム内の垂直ブランク区間が異なることによって、フレーム毎に液晶表示パネルの平均輝度が異なることになる。これによって、フリッカー（ｆｌｉｃｋｅｒ）のような表示不良が目視される。
【先行技術文献】
【特許文献】
【０００７】
【特許文献１】特開２０１３−２３８６５６号公報
【発明の概要】
【発明が解決しようとする課題】
【０００８】
本発明は、上記従来の問題点に鑑みてなされたものであって、本発明の目的は、垂直ブランク区間の可変による輝度偏差を改善するための液晶表示装置及びその駆動方法を提供することにある。
【課題を解決するための手段】
【０００９】
上記目的を達成するためになされた本発明の一態様による液晶表示装置は、液晶表示パネルと、前記液晶表示パネルに光を提供する光源部と、同期信号をカウントしてフレーム内の垂直ブランク区間のカウンタ値を算出する垂直ブランク（ＶＢ）感知部と、前記垂直ブランク区間のカウンタ値と複数の基準カウンタ値とを比較して輝度補正値を算出する輝度補正値算出部と、前記フレームのアクティブ区間にノーマル輝度値のノーマルレベルを有し、前記垂直ブランク区間に前記輝度補正値の補正レベルを有する光源駆動信号を前記光源部に提供する光源駆動部と、を備えることを特徴とする。
【００１０】
前記輝度補正値算出部は、前記垂直ブランク区間のカウンタ値を前記複数の基準カウンタ値と順次比較し、基準カウンタ値以上である場合に前記輝度補正値を段階的に算出し得る。
前記輝度補正値算出部は、前記垂直ブランク区間のカウンタ値が最も小さい基準カウンタ値よりも小さい場合、前記フレームのアクティブ区間に設定されたノーマル輝度値を維持し得る。
前記輝度補正値算出部は、次のフレームの開始信号が立ち上がると、次のフレームのアクティブ区間に設定されたノーマル輝度値に変更し得る。
前記複数の基準カウンタ値は、可変可能な複数の垂直ブランク区間のカウンタ値に対応し得る。
前記光源部は、複数の発光ブロックを含み、前記光源駆動部は、前記複数の発光ブロックのそれぞれに提供される複数の光源駆動信号を生成し得る。
前記輝度補正値算出部は、前記垂直ブランク区間のカウンタ値と前記複数の基準カウンタ値とを比較して発光ブロック別に輝度補正値を算出し、前記光源駆動部は、前記アクティブ区間に発光ブロック別に設定されたノーマル輝度値のノーマルレベルを有し、前記垂直ブランク区間に前記輝度補正値の補正レベルを有する光源駆動信号を生成し得る。
前記液晶表示装置は、各発光ブロックに対応する表示ブロックのイメージデータをヒストグラム分析して表示ブロック別に代表階調を算出するヒストグラム分析部を更に含み得る。
前記輝度補正値算出部は、前記垂直ブランク区間のカウンタ値と前記複数の基準カウンタ値とを比較し、前記代表階調に基づいて発光ブロック別に前記輝度補正値を算出し得る。
前記液晶表示装置は、複数のフレームに対応する複数の垂直ブランク区間のカウンタ値を予め設定された基準値と比較し、現フレームが、垂直ブランク区間が可変するＡｄａｐｔｉｖｅ−Ｓｙｎｃモードであるか、又は垂直ブランク区間が一定である一般の同期モードであるかを決定するモード決定部を更に含み得る。
【００１１】
上記目的を達成するためになされた本発明の一態様による液晶表示装置の駆動方法は、同期信号をカウントしてフレーム内の垂直ブランク区間のカウンタ値を算出するステップと、前記垂直ブランク区間のカウンタ値と複数の基準カウンタ値とを比較して輝度補正値を算出するステップと、前記フレームのアクティブ区間にノーマル輝度値のノーマルレベルを有し、前記垂直ブランク区間に前記輝度補正値に基づく補正レベルを有する光源駆動信号を生成するステップと、を有することを特徴とする。
【００１２】
前記液晶表示装置の駆動方法は、前記垂直ブランク区間のカウンタ値を前記複数の基準カウンタ値と順次比較し、基準カウンタ値以上である場合に前記輝度補正値を段階的に算出するステップを更に含み得る。
前記液晶表示装置の駆動方法は、前記垂直ブランク区間のカウンタ値が最も小さい基準カウンタ値よりも小さい場合、前記フレームのアクティブ区間に設定されたノーマル輝度値を維持するステップを更に含み得る。
前記液晶表示装置の駆動方法は、次のフレームの開始信号が立ち上がると、次のフレームのアクティブ区間に設定されたノーマル輝度値に変更するステップを更に含み得る。
前記複数の基準カウンタ値は、可変可能な複数の垂直ブランク区間のカウンタ値に対応し得る。
前記液晶表示装置の駆動方法は、複数の発光ブロックのそれぞれに複数の光源駆動信号を提供するステップを更に含み得る。
前記液晶表示装置の駆動方法は、前記垂直ブランク区間のカウンタ値と前記複数の基準カウンタ値とを比較して発光ブロック別に輝度補正値を算出するステップと、前記アクティブ区間に発光ブロック別に設定されたノーマル輝度値のノーマルレベルを有し、前記垂直ブランク区間に前記輝度補正値の補正レベルを有する光源駆動信号を生成するステップと、を更に含み得る。
前記液晶表示装置の駆動方法は、各発光ブロックに対応する表示ブロックのイメージデータをヒストグラム分析して表示ブロック別に代表階調を算出するステップを更に含み得る。
前記液晶表示装置の駆動方法は、前記垂直ブランク区間のカウンタ値と前記複数の基準カウンタ値とを比較し、前記代表階調に基づいて発光ブロック別に前記輝度補正値を算出するステップを更に含み得る。
前記液晶表示装置の駆動方法は、複数のフレームに対応する複数の垂直ブランク区間のカウンタ値を予め設定された基準値と比較し、現フレームが、垂直ブランク区間が可変するＡｄａｐｔｉｖｅ−Ｓｙｎｃモードであるか、又は垂直ブランク区間が一定である一般の同期モードであるかを決定するステップを更に含み得る。
【発明の効果】
【００１３】
本発明の液晶表示装置及びその駆動方法によると、垂直ブランク区間の可変による液晶表示パネルに表示されるイメージの輝度偏差を、垂直ブランク区間のカウンタ値に基づいて、液晶表示パネルに提供される光の輝度レベルを補正することで、除去することができる。また、光の輝度レベルを、イメージの階調に基づいて、補正することができる。
【図面の簡単な説明】
【００１４】
【図１】本発明の一実施例による液晶表示装置のブロック図である。
【図２】本発明の一実施例によるＡｄａｐｔｉｖｅ−Ｓｙｎｃモードのフレームを説明するための概念図である。
【図３ａ】液晶表示装置に表示されるイメージの輝度偏差を説明するための図である。
【図３ｂ】液晶表示装置に表示されるイメージの輝度偏差を説明するための図である。
【図３ｃ】液晶表示装置に表示されるイメージの輝度偏差を説明するための図である。
【図３ｄ】液晶表示装置に表示されるイメージの輝度偏差を説明するための図である。
【図４】本発明の一実施例による輝度補正値算出部のブロック図である。
【図５】図４の第１のルックアップテーブルを説明するための概念図である。
【図６】本発明の一実施例による垂直ブランク区間のカウンタ値に基づいて補正値が適用される方法を説明するための波形図である。
【図７ａ】本発明の一実施例による垂直ブランク区間のカウンタ値によって補正値が適用された発光駆動信号を説明するための波形図である。
【図７ｂ】本発明の一実施例による垂直ブランク区間のカウンタ値によって補正値が適用された発光駆動信号を説明するための波形図である。
【図７ｃ】本発明の一実施例による垂直ブランク区間のカウンタ値によって補正値が適用された発光駆動信号を説明するための波形図である。
【図７ｄ】本発明の一実施例による垂直ブランク区間のカウンタ値によって補正値が適用された発光駆動信号を説明するための波形図である。
【図７ｅ】本発明の一実施例による垂直ブランク区間のカウンタ値によって補正値が適用された発光駆動信号を説明するための波形図である。
【図７ｆ】本発明の一実施例による垂直ブランク区間のカウンタ値によって補正値が適用された発光駆動信号を説明するための波形図である。
【図８】本発明の一実施例による複数の発光ブロックの発光駆動信号を説明するための概念図である。
【図９】本発明の他の実施例による輝度補正値算出部のブロック図である。
【図１０】図９の第２のルックアップテーブルを説明するための概念図である。
【図１１】本発明の他の実施例による複数の発光ブロックの発光駆動信号を説明するための概念図である。
【図１２】本発明の一実施例によるタイミング制御部のブロック図である。
【図１３】図１２のタイミング制御部を含む表示装置の駆動方法を説明するためのフローチャートである。
【発明を実施するための形態】
【００１５】
以下、本発明を実施するための形態の具体例を、図面を参照しながら詳細に説明する。
【００１６】
図１は、本発明の一実施例による液晶表示装置のブロック図であり、図２は、本発明の一実施例によるＡｄａｐｔｉｖｅ−Ｓｙｎｃモードのフレームを説明するための概念図である。
【００１７】
図１に示すように、液晶表示装置１０００は、液晶表示パネル１００と、タイミング制御部２００と、データ駆動部３００と、ゲート駆動部４００と、光源部５００と、光源駆動部６００とを含む。
【００１８】
液晶表示パネル１００は、複数のデータライン（ＤＬ）と、複数のゲートライン（ＧＬ）と、複数の画素（Ｐ）とを含む。
【００１９】
複数のデータライン（ＤＬ）は、列方向（ＣＤ）に延在し、列方向（ＣＤ）に交差する行方向（ＲＤ）に配列される。複数のゲートライン（ＧＬ）は、行方向（ＲＤ）に延在し、列方向（ＣＤ）に配列される。
【００２０】
複数の画素（Ｐ）は、複数の画素行及び複数の画素列を含むマトリックス状に配列される。各画素（Ｐ）は、データライン（ＤＬ）及びゲートライン（ＧＬ）に連結されたトランジスタ（ＴＲ）と、トランジスタ（ＴＲ）に連結された液晶キャパシタ（ＣＬＣ）と、液晶キャパシタ（ＣＬＣ）に連結されたストレージキャパシタ（ＣＳＴ）とを含む。液晶キャパシタ（ＣＬＣ）には液晶共通電圧（ＶＣＯＭ）が印加され、ストレージキャパシタ（ＣＳＴ）にはストレージ共通電圧（ＶＳＴ）が印加される。液晶共通電圧（ＶＣＯＭ）とストレージ共通電圧（ＶＳＴ）とは、同じ電圧でもよい。
【００２１】
タイミング制御部２００は、外部装置であるグラフィック処理装置（ＧＰＵ）から、イメージデータ（ＤＡＴＡ）及び同期信号（ＳＳ）を受信する。同期信号（ＳＳ）は、データイネーブル信号を含む。
【００２２】
図２に示すように、タイミング制御部２００は、フレーム周波数が可変する複数のフレームを受信する。
【００２３】
第ｎのフレーム（ｎ＿Ｆ）は、１４４Ｈｚのフレーム周波数を有し、第ｎ＋１のフレーム（（ｎ＋１）＿Ｆ）は、４８Ｈｚのフレーム周波数を有し、第ｎ＋２のフレーム（（ｎ＋２）＿Ｆ）は、１００Ｈｚのフレーム周波数を有する。
【００２４】
１４４Ｈｚの第ｎのフレーム（ｎ＿Ｆ）は、固定長さ（ＦＬ）の第ｎのアクティブ区間（ＡＴｎ）と、第１の長さ（Ｌ１）の第ｎの垂直ブランク区間（ＶＢｎ）とを有する。４８Ｈｚの第ｎ＋１のフレーム（（ｎ＋１）＿Ｆ）は、固定長さ（ＦＬ）の第ｎ＋１のアクティブ区間（ＡＴｎ＋１）と、第１の長さ（Ｌ１）よりも長い第２の長さ（Ｌ２）の第ｎ＋１の垂直ブランク区間（ＶＢｎ＋１）とを有する。１００Ｈｚの第ｎ＋２のフレーム（（ｎ＋２）＿Ｆ）は、固定長さ（ＦＬ）の第ｎ＋２のアクティブ区間（ＡＴｎ＋２）と、第１の長さ（Ｌ１）よりも長く、第２の長さ（Ｌ２）よりも短い第３の長さ（Ｌ３）の第ｎ＋２の垂直ブランク区間（ＶＢｎ＋２）とを有する。
【００２５】
タイミング制御部２００は、同期信号（ＳＳ）に基づいて複数の制御信号を生成する。複数の制御信号は、データ駆動部３００を制御するデータ制御信号（ＤＣＳ）と、ゲート駆動部４００を制御するゲート制御信号（ＧＣＳ）と、光源駆動部６００を制御する光源制御信号（ＬＣＳ）とを含む。イメージデータ（ＤＡＴＡ）を様々な補正アルゴリズムにより補正し、補正されたイメージデータ（ＤＡＴＡ１）をデータ駆動部３００に提供する。
【００２６】
データ駆動部３００は、データ制御信号（ＤＣＳ）に基づいて、水平周期毎にイメージデータ（ＤＡＴＡ１）をアナログのデータ電圧に変換してデータライン（ＤＬ）に出力する。
【００２７】
ゲート駆動部４００は、ゲート制御信号（ＧＣＳ）に基づいて複数のゲート信号を生成し、複数のゲート信号を複数のゲートライン（ＧＬ）に順次出力する。
【００２８】
例えば、液晶表示パネル１００は、第ｎのフレーム（ｎ＿Ｆ）の第ｎのアクティブ区間（ＡＴｎ）の間、第ｎのフレームイメージデータを液晶表示パネル１００に充填し、第１の長さ（Ｌ１）の第ｎの垂直ブランク区間（ＶＢｎ）の間、充填された第ｎのフレームイメージデータを維持する。
【００２９】
液晶表示パネル１００は、第ｎ＋１のフレーム（（ｎ＋１）＿Ｆ）の第ｎ＋１のアクティブ区間（ＡＴｎ＋１）の間、第ｎ＋１のフレームイメージデータを充填し、第２の長さ（Ｌ２）の第ｎ＋１の垂直ブランク区間（ＶＢｎ＋１）の間、充填された第ｎ＋１のフレームイメージデータを維持する。
【００３０】
液晶表示パネル１００は、第ｎ＋２のフレーム（（ｎ＋２）＿Ｆ）の第ｎ＋２のアクティブ区間（ＡＴｎ＋２）の間、第ｎ＋２のフレームイメージデータを充填し、第３の長さ（Ｌ３）の第ｎ＋２の垂直ブランク区間（ＶＢｎ＋２）の間、液晶表示パネル１００に充填された第ｎ＋２のフレームイメージデータを維持する。
【００３１】
フレームの垂直ブランク区間が長いほど、漏洩電流によって液晶表示パネル１００に充填されたデータ電圧が減少し、これによって液晶表示パネル１００に表示されるイメージの平均輝度が減少する。
【００３２】
従って、液晶表示パネル１００に表示されるイメージの平均輝度は、垂直ブランク区間の長さが最短の第ｎのフレーム（ｎ＿Ｆ）が最も高く、垂直ブランク区間の長さが最長の第ｎ＋１のフレーム（（ｎ＋１）＿Ｆ）が最も低い。
【００３３】
本実施例によると、垂直ブランク区間の長さによって光源部５００で発生する光の輝度を補正することで、垂直ブランク区間の変化による輝度偏差を除去することができる。
【００３４】
タイミング制御部２００は、フレームの垂直ブランク区間の長さにより光の輝度を補正するために、垂直ブランク（Ｖｅｒｔｉｃａｌ  Ｂｌａｎｋ：ＶＢ）感知部２１０と、輝度補正値算出部２３０とを含む。
【００３５】
ＶＢ感知部２１０は、同期信号（ＳＳ）をカウントしてフレームの垂直ブランク区間のカウンタ値を算出する。例えば、ＶＢ感知部２１０は、データイネーブル信号をカウントして垂直ブランク区間のカウンタ値を算出する。或いは、ＶＢ感知部２１０は、タイミング制御部２００内に含まれるオシレータ（ｏｓｃｉｌｌａｔｏｒ）で生成された内部同期信号であるクロック信号をカウントして垂直ブランク区間のカウンタ値を算出する。
【００３６】
輝度補正値算出部２３０は、ＶＢ感知部２１０より提供された垂直ブランク区間のカウンタ値によって、光の輝度を補正するための補正値を算出する。輝度補正値算出部２３０は、補正値を、光源部５００に駆動信号を提供する光源駆動部６００に提供する。
【００３７】
光源部５００は、液晶表示パネル１００の背面に配置されて液晶表示パネル１００に光を提供する。光源部５００は、光源駆動部６００より提供された光源駆動信号に基づいて、輝度が制御された光を液晶表示パネル１００に提供する。
【００３８】
光源部５００は、複数の発光ブロック（Ｂ１、Ｂ２、…、ＢＮ）を含む。各発光ブロックは、少なくとも１つの発光ダイオードを含む。複数の発光ブロック（Ｂ１、Ｂ２、…、ＢＮ）のそれぞれは、液晶表示パネル１００の該当する表示ブロックに光を提供する。
【００３９】
光源駆動部６００は、光源制御信号（ＬＣＳ）に基づいて光源部５００を駆動する光源駆動信号を生成する。
【００４０】
光源駆動部６００は、複数の発光ブロック（Ｂ１、Ｂ２、…、ＢＮ）を駆動する複数の光源駆動信号（ＬＳ＿Ｂ１、ＬＳ＿Ｂ２、ＬＳ＿Ｂ３、…、ＬＳ＿ＢＮ）を生成する。複数の光源駆動信号（ＬＳ＿Ｂ１、ＬＳ＿Ｂ２、ＬＳ＿Ｂ３、…、ＬＳ＿ＢＮ）は、デジタルＰＷＭ（ｐｕｌｓｅ  ｗｉｄｔｈ  ｍｏｄｕｌａｔｉｏｎ）信号又はアナログ調光信号である。
【００４１】
光源駆動部６００は、輝度補正値算出部２３０より提供された垂直ブランク区間のカウンタ値により算出された複数の発光ブロック（Ｂ１、Ｂ２、…、ＢＮ）の複数の補正値に基づいて、複数の光源駆動信号（ＬＳ＿Ｂ１、ＬＳ＿Ｂ２、ＬＳ＿Ｂ３、…、ＬＳ＿ＢＮ）を生成する。
【００４２】
複数の光源駆動信号（ＬＳ＿Ｂ１、ＬＳ＿Ｂ２、ＬＳ＿Ｂ３、…、ＬＳ＿ＢＮ）のそれぞれは、アクティブ区間で各発光ブロックに対応して設定されたノーマル輝度値のノーマルレベルを有し、垂直ブランク区間で垂直ブランク区間のカウンタ値によって算出された補正値に対応する補正レベルを有する。補正値は複数個でもよく、垂直ブランク区間は複数の補正レベルを有する。
【００４３】
本実施例によると、垂直ブランク区間のカウンタ値によって、複数の発光ブロックのそれぞれより発生する光の輝度を補正することで、垂直ブランク区間の変化によるイメージの輝度偏差を除去することができ、また複数の発光ブロックの光を個別に補正することで、位置別にイメージの輝度偏差を補正することができる。
【００４４】
図３ａ〜図３ｄは、液晶表示装置に表示されるイメージの輝度偏差を説明するための図である。
【００４５】
図３ａは、比較例による液晶表示装置の液晶表示パネルに対する平面図である。
【００４６】
比較例によると、液晶表示装置は、１００Ｈｚのフレーム周波数で液晶表示パネルに、３２階調、６４階調、１２８階調、１９２階調、及び２５６階調のイメージを各々表示し、各階調イメージが表示された液晶表示パネルのサンプル位置、例えば中央領域（Ｃｅｎｔｅｒ）、中央領域に対して、左領域（Ｌｅｆｔ）、右領域（Ｒｉｇｈｔ）、上領域（Ｕｐ）、及び下領域（Ｄｏｗｎ）で各々輝度を測定した。
【００４７】
液晶表示装置は、５０Ｈｚのフレーム周波数で、液晶表示パネルに、３２階調、６４階調、１２８階調、１９２階調、及び２５６階調のイメージを各々表示し、各階調イメージが表示された液晶表示パネルの中央領域（Ｃｅｎｔｅｒ）、中央領域に対して、左領域（Ｌｅｆｔ）、右領域（Ｒｉｇｈｔ）、上領域（Ｕｐ）、及び下領域（Ｄｏｗｎ）で各々輝度を測定した。
【００４８】
図３ｂは、液晶表示パネルの垂直方向によるＧ−Ｖａｌｕｅを示すグラフであり、図３ｃは、液晶表示パネルの水平方向によるＧ−Ｖａｌｕｅを示すグラフである。
【００４９】
図３ｂ及び図３ｃにおけるＧ−Ｖａｌｕｅは、次の数式のように定義される。
【００５０】
［数式］
Ｇ−Ｖａｌｕｅ＝１００Ｈｚで駆動する場合の輝度値／５０Ｈｚで駆動する場合の輝度値
【００５１】
図３ｂに示す液晶表示パネルの垂直方向に位置する上領域（Ｕｐ）、中央領域（Ｃｅｎｔｅｒ）、及び下領域（Ｄｏｗｎ）のＧ−Ｖａｌｕｅを参照すると、０〜６４階調の低階調範囲で、上領域（Ｕｐ）、中央領域（Ｃｅｎｔｅｒ）、及び下領域（Ｄｏｗｎ）のＧ−Ｖａｌｕｅは、いずれも１よりも小さい。即ち、低階調範囲で５０Ｈｚのフレーム周波数で駆動する場合の輝度が１００Ｈｚのフレーム周波数で駆動する場合の輝度よりも高いことが分かる。
【００５２】
また、１５階調において、下領域（Ｄｏｗｎ）のＧ−Ｖａｌｕｅが中央領域（Ｃｅｎｔｅｒ）のＧ−Ｖａｌｕｅよりも小さく、上領域（Ｕｐ）のＧ−Ｖａｌｕｅは中央領域（Ｃｅｎｔｅｒ）のＧ−Ｖａｌｕｅよりも大きい。即ち、同一の液晶表示パネル内において、中央領域（Ｃｅｎｔｅｒ）に対して、下領域（Ｄｏｗｎ）がフレーム周波数による輝度差が相対的に大きく、上領域（Ｕｐ）がフレーム周波数による輝度差が相対的に小さいことが分かる。
【００５３】
図３ｃに示す液晶表示パネルの水平方向に位置する左領域（Ｌｅｆｔ）、中央領域（Ｃｅｎｔｅｒ）、及び右領域（Ｒｉｇｈｔ）のＧ−Ｖａｌｕｅを参照すると、０〜６４階調の低階調範囲で、左領域（Ｌｅｆｔ）、中央領域（Ｃｅｎｔｅｒ）、及び右領域（Ｒｉｇｈｔ）のＧ−Ｖａｌｕｅは、いずれも１よりも小さい。即ち、低階調範囲で５０Ｈｚのフレーム周波数で駆動する場合の輝度が、１００Ｈｚのフレーム周波数で駆動する場合の輝度よりも高いことが分かる。
【００５４】
低階調範囲で、左領域（Ｌｅｆｔ）及び中央領域（Ｃｅｎｔｅｒ）のＧ−Ｖａｌｕｅはほぼ類似しており、右領域（Ｒｉｇｈｔ）のＧ−Ｖａｌｕｅが相対的に大きい。即ち、同一の液晶表示パネル内において、左領域（Ｌｅｆｔ）及び中央領域（Ｃｅｎｔｅｒ）はフレーム周波数による輝度差が類似しており、右領域（Ｒｉｇｈｔ）はフレーム周波数による輝度差が相対的に大きいことが分かる。
【００５５】
図３ｂ及び図３ｃによると、フレーム周波数の変化による輝度偏差は、液晶表示パネルの位置別に異なることが分かる。
【００５６】
図３ｄは、階調及び位置によって、１００Ｈｚ及び５０Ｈｚのフレーム周波数で駆動する場合の輝度偏差を示す表である。図３ｄに示す輝度値（ｎｉｔ）は、１００Ｈｚで駆動する場合の輝度値から５０Ｈｚで駆動する場合の輝度値を引いた値である。
【００５７】
図３ｄにおいて、３２階調を参照すると、左領域（Ｌｅｆｔ）の輝度値は−０．２７ｎｉｔであり、右領域（Ｒｉｇｈｔ）の輝度値は−０．３２ｎｉｔであり、中央領域（Ｃｅｎｔｅｒ）の輝度値は−０．１２ｎｉｔであり、上領域（Ｕｐ）の輝度値は０．１０ｎｉｔであり、下領域（Ｄｏｗｎ）の輝度値は−０．１０ｎｉｔである。
【００５８】
また、１５階調の輝度で、左領域（Ｌｅｆｔ）、上領域（Ｕｐ）、中央領域（Ｃｅｎｔｅｒ）、及び下領域（Ｄｏｗｎ）は、５０Ｈｚで駆動する場合の輝度値が１００Ｈｚで駆動する場合の輝度値よりも高く、特に右領域（Ｒｉｇｈｔ）の輝度値が相対的に最も高いことが分かる。一方、上領域（Ｕｐ）における３２階調の輝度値は、１００Ｈｚで駆動する場合が５０Ｈｚで駆動する場合よりも高いことが分かる。
【００５９】
図３ｄによると、フレーム周波数の変化による輝度偏差は、液晶表示パネルの位置別及びイメージの階調別に異なることが分かる。
【００６０】
本実施例によると、フレーム周波数の可変、即ち垂直ブランク区間の可変による輝度偏差を液晶表示パネルの位置別に補正することで、イメージの表示品質を向上させることができる。
【００６１】
図４は、本発明の一実施例による輝度補正値算出部のブロック図であり、図５は、図４の第１のルックアップテーブルを説明するための概念図である。
【００６２】
図４に示すように、輝度補正値算出部２３０は、フレーム周波数、即ち垂直ブランク区間の可変による輝度偏差を液晶表示パネルの位置別に補正するための複数の発光ブロックの複数の補正値を算出する。
【００６３】
輝度補正値算出部２３０は、第１のルックアップテーブル２３１と、算出部２３２とを含む。
【００６４】
第１のルックアップテーブル２３１には、垂直ブランク区間のデータイネーブル信号又はクロック信号をカウントしたカウント値（ＣＶ）によってサンプリングされた発光ブロックの補正値が格納される。
【００６５】
図５に示すように、垂直ブランク区間のカウント値（ＣＶ）が第１の基準カウンタ値（ＣＶ１）以上である場合、サンプリングされた複数の発光ブロック（Ｂ１、Ｂ２、…、Ｂ８、…、ＢＮ）の補正値は、（ａ１、ａ２、…、ａ８、…、ａＮ）に各々決定される。
【００６６】
フレームの垂直ブランク区間のカウント値（ＣＶ）が第２の基準カウンタ値（ＣＶ２）以上である場合、サンプリングされた複数の発光ブロック（Ｂ１、Ｂ２、…、Ｂ８、…、ＢＮ）の補正値は、（ｂ１、ｂ２、…、ｂ８、…、ｂＮ）に各々決定される。第２の基準カウンタ値（ＣＶ２）は、第１の基準カウンタ値（ＣＶ１）よりも大きい。
【００６７】
フレームの垂直ブランク区間のカウント値（ＣＶ）が第３の基準カウンタ値（ＣＶ３）以上である場合、サンプリングされた複数の発光ブロック（Ｂ１、Ｂ２、…、Ｂ８、…、ＢＮ）の補正値は、（ｃ１、ｃ２、…、ｃ８、…、ｃＮ）に各々決定される。第３の基準カウンタ値（ＣＶ３）は、第２の基準カウンタ値（ＣＶ２）よりも大きい。
【００６８】
フレームの垂直ブランク区間のカウント値（ＣＶ）が第４の基準カウンタ値（ＣＶ４）以上である場合、サンプリングされた複数の発光ブロック（Ｂ１、Ｂ２、…、Ｂ８、…、ＢＮ）の補正値は、（ｄ１、ｄ２、…、ｄ８、…、ｄＮ）に各々決定される。第４の基準カウンタ値（ＣＶ４）は、第３の基準カウンタ値（ＣＶ３）よりも大きい。
【００６９】
フレームの垂直ブランク区間のカウント値（ＣＶ）が第５の基準カウンタ値（ＣＶ５）以上である場合、サンプリングされた複数の発光ブロック（Ｂ１、Ｂ２、…、Ｂ８、…、ＢＮ）の補正値は、（ｅ１、ｅ２、…、ｅ８、…、ｅＮ）に各々決定される。第５の基準カウンタ値（ＣＶ５）は、第４の基準カウンタ値（ＣＶ４）よりも大きい。
【００７０】
フレームの垂直ブランク区間のカウント値（ＣＶ）が第６の基準カウンタ値（ＣＶ６）以上である場合、サンプリングされた複数の発光ブロック（Ｂ１、Ｂ２、…、Ｂ８、…、ＢＮ）の補正値は、（ｆ１、ｆ２、…、ｆ８、…、ｆＮ）に各々決定される。第６の基準カウンタ値（ＣＶ６）は、第５の基準カウンタ値（ＣＶ５）よりも大きい。
【００７１】
算出部２３２は、第１のルックアップテーブル２３１に格納された補正値に基づいて、フレームに対する垂直ブランク区間のカウント値による複数の発光ブロック（Ｂ１、Ｂ２、Ｂ３、…、ＢＮ）の複数の補正値をリアルタイムで算出する。
【００７２】
複数の発光ブロック（Ｂ１、Ｂ２、Ｂ３、…、ＢＮ）に対応する複数の補正値は、図１における光源駆動部６００に提供される。光源駆動部６００は、複数の発光ブロック（Ｂ１、Ｂ２、Ｂ３、…、ＢＮ）を駆動する複数の発光駆動信号（ＬＳ＿Ｂ１、ＬＳ＿Ｂ２、…、ＬＳ＿ＢＮ）を生成する。
【００７３】
図６は、本発明の一実施例による垂直ブランク区間のカウンタ値に基づいて補正値が適用される方法を説明するための波形図である。
【００７４】
図６に示すように、例えば基準フレーム周波数が１４４Ｈｚに設定された場合、１４４Ｈｚに対応する垂直ブランク区間の第１の長さ（Ｌ１）に対応するカウンタ値が第１の基準カウンタ値（ＣＶ１）になる。１４４Ｈｚのフレーム周波数よりもフレームレートの低い複数のフレーム周波数の垂直ブランク区間の長さに対応して、複数の基準カウンタ値が設定される。
【００７５】
例えば、第２の基準カウンタ値（ＣＶ２）は、１００Ｈｚのフレーム周波数に対応する垂直ブランク区間の第２の長さ（Ｌ２）に対応するカウンタ値になる。第３の基準カウンタ値（ＣＶ３）は、８０Ｈｚのフレーム周波数に対応する垂直ブランク区間の第３の長さ（Ｌ３）に対応するカウンタ値になる。第４の基準カウンタ値（ＣＶ４）は、６０Ｈｚのフレーム周波数に対応する垂直ブランク区間の第４の長さ（Ｌ４）に対応するカウンタ値になる。第５の基準カウンタ値（ＣＶ５）は、５０Ｈｚのフレーム周波数に対応する垂直ブランク区間の第５の長さ（Ｌ５）に対応するカウンタ値になる。第６の基準カウンタ値（ＣＶ６）は、４８Ｈｚのフレーム周波数に対応する垂直ブランク区間の第６の長さ（Ｌ６）に対応するカウンタ値になる。
【００７６】
ＶＢ感知部は、垂直ブランク区間のクロック信号をリアルタイムでカウントし、カウンタ値を輝度補正値算出部に提供する。
【００７７】
輝度補正値算出部は、リアルタイムのカウントされた垂直ブランク区間のカウンタ値を複数の基準カウンタ値と比較して、補正値を決定する。
【００７８】
輝度補正値算出部は、垂直ブランク区間のカウンタ値（ＣＶ）が第１の基準カウンタ値（ＣＶ１）よりも小さい場合、アクティブ区間に適用されるノーマル輝度値（ＮＯＲ＿ｌｅｖ）をそのまま適用する。
【００７９】
輝度補正値算出部は、補正値を、垂直ブランク区間のカウンタ値（ＣＶ）が第１の基準カウンタ値（ＣＶ１）以上且つ第２の基準カウンタ値（ＣＶ２）よりも小さい場合、第１の補正値（ａ）に決定し、第２の基準カウンタ値（ＣＶ２）以上且つ第３の基準カウンタ値（ＣＶ３）よりも小さい場合、第２の補正値（ｂ）に決定し、第３の基準カウンタ値（ＣＶ３）以上且つ第４の基準カウンタ値（ＣＶ４）よりも小さい場合、第３の補正値（ｃ）に決定し、第４の基準カウンタ値（ＣＶ４）以上且つ第５の基準カウンタ値（ＣＶ５）よりも小さい場合、第４の補正値（ｄ）に決定し、第５の基準カウンタ値（ＣＶ５）以上且つ第６の基準カウンタ値（ＣＶ６）よりも小さい場合、第５の補正値（ｅ）に決定する。
【００８０】
図７ａ〜図７ｆは、本発明の一実施例による垂直ブランク区間のカウンタ値によって補正値が適用された発光駆動信号を説明するための波形図である。
【００８１】
図７ａに示すように、１４４Ｈｚのフレームが受信されると、ＶＢ感知部は、フレームの垂直ブランク区間のクロック信号をカウントする。
【００８２】
輝度補正値算出部は、垂直ブランク区間のカウンタ値（ＣＶ）が第１の基準カウンタ値（ＣＶ１）よりも小さいため、ノーマル輝度値（ＮＯＲ＿ｌｅｖ）をそのまま適用する。垂直ブランク区間のカウンタ値が第１の基準カウンタ値（ＣＶ１）になる時点で次のフレームが開始されることによって、アクティブ区間に対応してノーマル輝度値（ＮＯＲ＿ｌｅｖ）を適用する。次のフレームの開始時点は、垂直開始信号（ＳＴＶ）の立ち上がり時点によって分かる。
【００８３】
従って、光源駆動部は、１４４Ｈｚのフレームの垂直ブランク区間の間、ノーマル輝度値（ＮＯＲ＿ｌｅｖ）に対応するノーマルレベルを有する発光駆動信号（ＬＳ）を生成する。
【００８４】
図７ｂに示すように、１００Ｈｚのフレームが受信されると、ＶＢ感知部は、フレームの垂直ブランク区間のクロック信号をカウントする。
【００８５】
輝度補正値算出部は、垂直ブランク区間のカウンタ値が、第１の基準カウンタ値（ＣＶ１）から第２の基準カウンタ値（ＣＶ２）になるまで第１の補正値（ａ）を適用し、第２の基準カウンタ値（ＣＶ２）になる時点で次のフレームの垂直開始信号（ＳＴＶ）が立ち上がることによって、アクティブ区間に対応してノーマル輝度値（ＮＯＲ＿ｌｅｖ）を適用する。
【００８６】
従って、光源駆動部は、１００Ｈｚのフレームの垂直ブランク区間の間、ノーマル輝度値（ＮＯＲ＿ｌｅｖ）及び第１の補正値（ａ）に対応するノーマルレベル及び第１の補正レベルを有する発光駆動信号（ＬＳ）を生成する。
【００８７】
図７ｃを参照すると、８０Ｈｚのフレームが受信されると、ＶＢ感知部は、フレームの垂直ブランク区間のクロック信号をカウントする。
【００８８】
輝度補正値算出部は、垂直ブランク区間のカウンタ値が、第１の基準カウンタ値（ＣＶ１）から第２の基準カウンタ値（ＣＶ２）になるまで第１の補正値（ａ）を適用し、第２の基準カウンタ値（ＣＶ２）から第３の基準カウンタ値（ＣＶ３）になるまで第２の補正値（ｂ）を適用し、第３の基準カウンタ値（ＣＶ３）になる時点で次のフレームの垂直開始信号（ＳＴＶ）が立ち上がることによって、アクティブ区間に対応してノーマル輝度値（ＮＯＲ＿ｌｅｖ）を適用する。
【００８９】
従って、光源駆動部は、８０Ｈｚのフレームの垂直ブランク区間の間、ノーマル輝度値（ＮＯＲ＿ｌｅｖ）、第１の補正値（ａ）、及び第２の補正値（ｂ）に対応するノーマルレベル、第１の補正レベル、及び第２の補正レベルを有する発光駆動信号（ＬＳ）を生成する。
【００９０】
図７ｄを参照すると、６０Ｈｚのフレームが受信されると、ＶＢ感知部は、フレームの垂直ブランク区間のクロック信号をカウントする。
【００９１】
輝度補正値算出部は、垂直ブランク区間のカウンタ値が、第１の基準カウンタ値（ＣＶ１）から第２の基準カウンタ値（ＣＶ２）になるまで第１の補正値（ａ）を適用し、第２の基準カウンタ値（ＣＶ２）から第３の基準カウンタ値（ＣＶ３）になるまで第２の補正値（ｂ）を適用し、第３の基準カウンタ値（ＣＶ３）から第４の基準カウンタ値（ＣＶ４）になるまで第３の補正値（ｃ）を適用し、第４の基準カウンタ値（ＣＶ４）になる時点で次のフレームの垂直開始信号（ＳＴＶ）が立ち上がることによって、アクティブ区間に対応してノーマル輝度値（ＮＯＲ＿ｌｅｖ）を適用する。
【００９２】
従って、光源駆動部は、６０Ｈｚのフレームの垂直ブランク区間の間、ノーマル輝度値（ＮＯＲ＿ｌｅｖ）、第１の補正値（ａ）、第２の補正値（ｂ）、及び第３の補正値（ｃ）に対応するノーマルレベル、第１の補正レベル、第２の補正レベル、及び第３の補正レベルを有する発光駆動信号（ＬＳ）を生成する。
【００９３】
図７ｅを参照すると、５０Ｈｚのフレームが受信されると、ＶＢ感知部は、フレームの垂直ブランク区間のクロック信号をカウントする。
【００９４】
輝度補正値算出部は、垂直ブランク区間のカウンタ値が、第１の基準カウンタ値（ＣＶ１）から第２の基準カウンタ値（ＣＶ２）になるまで第１の補正値（ａ）を適用し、第２の基準カウンタ値（ＣＶ２）から第３の基準カウンタ値（ＣＶ３）になるまで第２の補正値（ｂ）を適用し、第３の基準カウンタ値（ＣＶ３）から第４の基準カウンタ値（ＣＶ４）になるまで第３の補正値（ｃ）を適用し、第４の基準カウンタ値（ＣＶ４）から第５の基準カウンタ値（ＣＶ５）になるまで第４の補正値（ｄ）を適用し、第５の基準カウンタ値（ＣＶ５）になる時点で次のフレームの垂直開始信号（ＳＴＶ）が立ち上がることによって、アクティブ区間に対応してノーマル輝度値（ＮＯＲ＿ｌｅｖ）を適用する。
【００９５】
従って、光源駆動部は、５０Ｈｚのフレームの垂直ブランク区間の間、ノーマル輝度値（ＮＯＲ＿ｌｅｖ）、第１の補正値（ａ）、第２の補正値（ｂ）、第３の補正値（ｃ）、及び第４の補正値（ｄ）に対応するノーマルレベル、第１の補正レベル、第２の補正レベル、第３の補正レベル、及び第４の補正レベルを有する発光駆動信号（ＬＳ）を生成する。
【００９６】
図７ｆを参照すると、４８Ｈｚのフレームが受信されると、ＶＢ感知部は、フレームの垂直ブランク区間のクロック信号をカウントする。
【００９７】
輝度補正値算出部は、垂直ブランク区間のカウンタ値が、第１の基準カウンタ値（ＣＶ１）から第２の基準カウンタ値（ＣＶ２）になるまで第１の補正値（ａ）を適用し、第２の基準カウンタ値（ＣＶ２）から第３の基準カウンタ値（ＣＶ３）になるまで第２の補正値（ｂ）を適用し、第３の基準カウンタ値（ＣＶ３）から第４の基準カウンタ値（ＣＶ４）になるまで第３の補正値（ｃ）を適用し、第４の基準カウンタ値（ＣＶ４）から第５の基準カウンタ値（ＣＶ５）になるまで第４の補正値（ｄ）を適用し、第５の基準カウンタ値（ＣＶ５）から第６の基準カウンタ値（ＣＶ６）になるまで第５の補正値（ｅ）を適用し、第６の基準カウンタ値（ＣＶ６）になる時点で次のフレームの垂直開始信号（ＳＴＶ）が立ち上がることによって、アクティブ区間に対応してノーマル輝度値（ＮＯＲ＿ｌｅｖ）を適用する。
【００９８】
従って、光源駆動部は、４８Ｈｚのフレームの垂直ブランク区間の間、ノーマル輝度値（ＮＯＲ＿ｌｅｖ）、第１の補正値（ａ）、第２の補正値（ｂ）、第３の補正値（ｃ）、第４の補正値（ｄ）、及び第５の補正値（ｅ）に対応するノーマルレベル、第１の補正レベル、第２の補正レベル、第３の補正レベル、第４の補正レベル、及び第５の補正レベルを有する発光駆動信号（ＬＳ）を生成する。
【００９９】
図８は、本発明の一実施例による複数の発光ブロックの発光駆動信号を説明するための概念図である。
【０１００】
図８に示すように、第ｎのフレーム（ｎ＿Ｆ）が受信されると、ＶＢ感知部は、第ｎの垂直ブランク区間（ＶＢｎ）のデータイネーブル信号又はクロック信号をカウントする。
【０１０１】
輝度補正値算出部は、第ｎの垂直ブランク区間（ＶＢｎ）のカウンタ値（ＣＶ）を第１の基準カウンタ値（ＣＶ１）と比較する。カウンタ値（ＣＶ）が第１の基準カウンタ値（ＣＶ１）よりも小さく、第１の基準カウンタ値（ＣＶ１）となる時点で第ｎ＋１のフレーム（（ｎ＋１）＿Ｆ）が開始されることによって、第ｎの垂直ブランク区間（ＶＢｎ）の間、ノーマル輝度値（ＮＯＲ＿ｌｅｖ）を適用する。
【０１０２】
光源駆動部は、第ｎのフレーム（ｎ＿Ｆ）に対応する複数の発光駆動信号（ＬＳ＿Ｂ１、ＬＳ＿Ｂ２、…、ＬＳ＿ＢＮ）を生成する。
【０１０３】
複数の発光駆動信号（ＬＳ＿Ｂ１、ＬＳ＿Ｂ２、…、ＬＳ＿ＢＮ）は、第ｎのフレーム（ｎ＿Ｆ）の第ｎの垂直ブランク区間（ＶＢｎ）の間、ノーマル輝度値（ＮＯＲ＿ｌｅｖ）に対応するノーマルレベルを有する。
【０１０４】
ついで、第ｎ＋１のフレーム（（ｎ＋１）＿Ｆ）が受信されると、ＶＢ感知部は、第ｎ＋１の垂直ブランク区間（ＶＢｎ＋１）のデータイネーブル信号又はクロック信号をカウントする。
【０１０５】
図５に示した第１のルックアップテーブル２３１を参照し、輝度補正値算出部は、カウンタ値を複数の基準カウンタ値（ＣＶ１、ＣＶ２、ＣＶ３、ＣＶ４、ＣＶ５）と比較して、第１の発光ブロック（Ｂ１）に対して第１の補正値（ａ１）、第２の補正値（ｂ１）、第３の補正値（ｃ１）、及び第４の補正値（ｄ１）を算出し、第２の発光ブロック（Ｂ２）に対して第１の補正値（ａ２）、第２の補正値（ｂ２）、第３の補正値（ｃ２）、及び第４の補正値（ｄ２）を算出し、第Ｎの発光ブロック（ＢＮ）に対して第１の補正値（ａＮ）、第２の補正値（ｂＮ）、第３の補正値（ｃＮ）、及び第４の補正値（ｄＮ）を算出する。
【０１０６】
光源駆動部は、第ｎ＋１のフレーム（（ｎ＋１）＿Ｆ）に対応する複数の発光駆動信号（ＬＳ＿Ｂ１、ＬＳ＿Ｂ２、…、ＬＳ＿ＢＮ）を生成する。
【０１０７】
例えば、第１の発光駆動信号（ＬＳ＿Ｂ１）は、第ｎ＋１のアクティブ区間ではノーマルレベル（ＮＯＲ＿ｌｅｖ）を有し、第ｎ＋１の垂直ブランク区間（ＶＢｎ＋１）ではノーマルレベル（ＮＯＲ＿ｌｅｖ）、第１の補正レベル（ａ１）、第２の補正レベル（ｂ１）、第３の補正レベル（ｃ１）、及び第４の補正レベル（ｄ１）を有する。第２の発光駆動信号（ＬＳ＿Ｂ２）は、第ｎ＋１のアクティブ区間ではノーマルレベル（ＮＯＲ＿ｌｅｖ）を有し、第ｎ＋１の垂直ブランク区間（ＶＢｎ＋１）ではノーマルレベル（ＮＯＲ＿ｌｅｖ）、第１の補正レベル（ａ２）、第２の補正レベル（ｂ２）、第３の補正レベル（ｃ２）、及び第４の補正レベル（ｄ２）を有する。第Ｎの発光駆動信号（ＬＳ＿ＢＮ）は、第ｎ＋１のアクティブ区間ではノーマルレベル（ＮＯＲ＿ｌｅｖ）を有し、第ｎ＋１の垂直ブランク区間（ＶＢｎ＋１）ではノーマルレベル（ＮＯＲ＿ｌｅｖ）、第１の補正レベル（ａＮ）、第２の補正レベル（ｂＮ）、第３の補正レベル（ｃＮ）、及び第４の補正レベル（ｄＮ）を有する。
【０１０８】
ついで、第ｎ＋２のフレーム（（ｎ＋２）＿Ｆ）が受信されると、ＶＢ感知部は、第ｎ＋２の垂直ブランク区間（ＶＢｎ＋２）のデータイネーブル信号又はクロック信号をカウントする。
【０１０９】
図５に示した第１のルックアップテーブル２３１を参照し、輝度補正値算出部は、カウンタ値を複数の基準カウンタ値（ＣＶ１、ＣＶ２、ＣＶ３）と比較して、第１の発光ブロック（Ｂ１）に対して第１の補正値（ａ１）、第２の補正値（ｂ１）、及び第３の補正値（ｃ１）を算出し、第２の発光ブロック（Ｂ２）に対して第１の補正値（ａ２）、第２の補正値（ｂ２）、及び第３の補正値（ｃ２）を算出し、第Ｎの発光ブロック（ＢＮ）に対して第１の補正値（ａＮ）、第２の補正値（ｂＮ）、及び第３の補正値（ｃＮ）を算出する。
【０１１０】
光源駆動部は、第ｎ＋２のフレーム（（ｎ＋２）＿Ｆ）に対応する複数の発光駆動信号（ＬＳ＿Ｂ１、ＬＳ＿Ｂ２、…、ＬＳ＿ＢＮ）を生成する。
【０１１１】
例えば、第１の発光駆動信号（ＬＳ＿Ｂ１）は、第ｎ＋２のアクティブ区間ではノーマルレベル（ＮＯＲ＿ｌｅｖ）を有し、第ｎ＋２の垂直ブランク区間（ＶＢｎ＋２）ではノーマルレベル（ＮＯＲ＿ｌｅｖ）、第１の補正レベル（ａ１）、第２の補正レベル（ｂ１）、及び第３の補正レベル（ｃ１）を有する。第２の発光駆動信号（ＬＳ＿Ｂ２）は、第ｎ＋２のアクティブ区間ではノーマルレベル（ＮＯＲ＿ｌｅｖ）を有し、第ｎ＋２の垂直ブランク区間（ＶＢｎ＋２）ではノーマルレベル（ＮＯＲ＿ｌｅｖ）、第１の補正レベル（ａ２）、第２の補正レベル（ｂ２）、及び第３の補正レベル（ｃ２）を有する。第Ｎの発光駆動信号（ＬＳ＿ＢＮ）は、第ｎ＋２のアクティブ区間ではノーマルレベル（ＮＯＲ＿ｌｅｖ）を有し、第ｎ＋２の垂直ブランク区間（ＶＢｎ＋２）ではノーマルレベル（ＮＯＲ＿ｌｅｖ）、第１の補正レベル（ａＮ）、第２の補正レベル（ｂＮ）、及び第３の補正レベル（ｃＮ）を有する。
【０１１２】
本実施例によると、垂直ブランク区間のカウンタ値によって複数の発光ブロックのそれぞれより発生する光の輝度を補正することで、垂直ブランク区間の変化によるイメージの輝度偏差を除去することができ、また複数の発光ブロックの光を個別に補正することで、位置別にイメージの輝度偏差を補正することができる。
【０１１３】
図９は、本発明の他の実施例による輝度補正値算出部のブロック図であり、図１０は、図９の第２のルックアップテーブルを説明するための概念図である。
【０１１４】
図９を参照すると、輝度補正値算出部２３０Ａは、ヒストグラム分析部２３３と、第２のルックアップテーブル２３４と、算出部２３５とを含む。
【０１１５】
ヒストグラム分析部２３３は、フレームイメージデータを、光源部の複数の発光ブロックのそれぞれに対応する表示ブロック別にヒストグラム分析して、表示ブロック別に代表階調を算出する。ヒストグラム分析部２３３は、各表示ブロックに含まれる階調のうち、最も多い階調を代表階調として算出するか、又は平均階調を代表階調として算出する。
【０１１６】
第２のルックアップテーブル２３４には、垂直ブランク区間のデータイネーブル信号又はクロック信号をカウントしたカウント値及びサンプリングされた階調によって、サンプリングされた発光ブロックの補正値が格納される。
【０１１７】
例えば、図１０に示すように、垂直ブランク区間のカウント値（ＣＶ）が第１の基準カウンタ値（ＣＶ１）以上の条件で、３２階調のサンプリングされた複数の発光ブロック（Ｂ１、Ｂ２、…、ＢＮ）の補正値は（ａ１１、ａ１２、…、ａ１Ｎ）に各々決定され、６４階調のサンプリングされた複数の発光ブロック（Ｂ１、Ｂ２、…、ＢＮ）の補正値は（ａ２１、ａ２２、…、ａ２Ｎ）に各々決定され、１２８階調のサンプリングされた複数の発光ブロック（Ｂ１、Ｂ２、…、ＢＮ）の補正値は（ａ３１、ａ３２、…、ａ３Ｎ）に各々決定され、１９２階調のサンプリングされた複数の発光ブロック（Ｂ１、Ｂ２、…、ＢＮ）の補正値は（ａ４１、ａ４２、…、ａ４Ｎ）に各々決定される。
【０１１８】
垂直ブランク区間のカウント値（ＣＶ）が第２の基準カウンタ値（ＣＶ２）以上の条件で、３２階調のサンプリングされた複数の発光ブロック（Ｂ１、Ｂ２、…、ＢＮ）の補正値は（ｂ１１、ｂ１２、…、ｂ１Ｎ）に各々決定され、６４階調のサンプリングされた複数の発光ブロック（Ｂ１、Ｂ２、…、ＢＮ）の補正値は（ｂ２１、ｂ２２、…、ｂ２Ｎ）に各々決定され、１２８階調のサンプリングされた複数の発光ブロック（Ｂ１、Ｂ２、…、ＢＮ）の補正値は（ｂ３１、ｂ３２、…、ｂ３Ｎ）に各々決定され、１９２階調のサンプリングされた複数の発光ブロック（Ｂ１、Ｂ２、…、ＢＮ）の補正値は（ｂ４１、ｂ４２、…、ｂ４Ｎ）に各々決定される。第２の基準カウンタ値（ＣＶ２）は、第１の基準カウンタ値（ＣＶ１）よりも大きい。
【０１１９】
このような方式で、第２のルックアップテーブル２３４には、サンプリングされた発光ブロックの補正値が格納される。
【０１２０】
算出部２３５は、第２のルックアップテーブル２３４に格納された補正値に基づいて、フレームに対する垂直ブランク区間のカウント値による複数の発光ブロック（Ｂ１、Ｂ２、Ｂ３、…、ＢＮ）の複数の補正値をリアルタイムに算出する。
【０１２１】
図１１は、本発明の他の実施例による複数の発光ブロックの発光駆動信号を説明するための概念図である。
【０１２２】
図９、図１０、及び図１１を参照すると、第ｎのフレーム（ｎ＿Ｆ）が受信されると、ＶＢ感知部は、第ｎの垂直ブランク区間（ＶＢｎ）のデータイネーブル信号又はクロック信号をカウントする。
【０１２３】
ヒストグラム分析部２３３は、第１の発光ブロック（Ｂ１）に対応する第１の代表階調（３２Ｇ）を算出し、第２の発光ブロック（Ｂ２）に対応する第２の代表階調（１２８Ｇ）を算出し、第Ｎの発光ブロック（ＢＮ）に対応する第Ｎの代表階調（６４Ｇ）を算出する。
【０１２４】
図１０に示した第２のルックアップテーブル２３４を参照し、算出部２３５は、カウンタ値（ＣＶ）を第１の基準カウンタ値（ＣＶ１）と比較してノーマル輝度値（ＮＯＲ＿ｌｅｖ）を適用する。例えば、算出部２３５は、第１の発光ブロック（Ｂ１）に対して第１の代表階調（３２Ｇ）に対応するノーマル輝度値（ＮＯＲ＿ｌｅｖ）を算出し、第２の発光ブロック（Ｂ２）に対して第２の代表階調（１２８Ｇ）に対応するノーマル輝度値（ＮＯＲ＿ｌｅｖ）を算出し、第Ｎの発光ブロック（ＢＮ）に対して第Ｎの代表階調（６４Ｇ）に対応するノーマル輝度値（ＮＯＲ＿ｌｅｖ）を算出する。
【０１２５】
光源駆動部は、第ｎのフレーム（ｎ＿Ｆ）に対応する複数の発光駆動信号（ＬＳ＿Ｂ１、ＬＳ＿Ｂ２、…、ＬＳ＿ＢＮ）を生成する。
【０１２６】
複数の発光駆動信号（ＬＳ＿Ｂ１、ＬＳ＿Ｂ２、…、ＬＳ＿ＢＮ）は、第ｎのフレーム（ｎ＿Ｆ）の第ｎの垂直ブランク区間（ＶＢｎ）の間、ノーマル輝度値（ＮＯＲ＿ｌｅｖ）に対応するノーマルレベルを有する。
【０１２７】
ついで、第ｎ＋１のフレーム（（ｎ＋１）＿Ｆ）が受信されると、ＶＢ感知部は、第ｎ＋１の垂直ブランク区間（ＶＢｎ＋１）のデータイネーブル信号又はクロック信号をカウントする。
【０１２８】
ヒストグラム分析部２３３は、第１の発光ブロック（Ｂ１）に対応する第１の代表階調（３２Ｇ）を算出し、第２の発光ブロック（Ｂ２）に対応する第２の代表階調（１２８Ｇ）を算出し、第Ｎの発光ブロック（ＢＮ）に対応する第Ｎの代表階調（６４Ｇ）を算出する。
【０１２９】
図１０に示した第２のルックアップテーブル２３４を参照し、算出部２３５は、第１の発光ブロック（Ｂ１）に対して、カウンタ値（ＣＶ）と複数の基準カウンタ値（ＣＶ１、ＣＶ２、ＣＶ３、ＣＶ４、ＣＶ５）との比較結果による補正値のうち、第１の代表階調（３２Ｇ）に対応する第１の補正値（ａ１１）、第２の補正値（ｂ１１）、第３の補正値（ｃ１１）、及び第４の補正値（ｄ１１）を算出し、第２の発光ブロック（Ｂ２）に対して、カウンタ値（ＣＶ）と複数の基準カウンタ値（ＣＶ１、ＣＶ２、ＣＶ３、ＣＶ４、ＣＶ５）との比較結果による補正値のうち、第２の代表階調（６４Ｇ）に対応する第１の補正値（ａ２２）、第２の補正値（ｂ２２）、第３の補正値（ｃ２２）、及び第４の補正値（ｄ２２）を算出し、第Ｎの発光ブロック（Ｂ２）に対して、カウンタ値（ＣＶ）と複数の基準カウンタ値（ＣＶ１、ＣＶ２、ＣＶ３、ＣＶ４、ＣＶ５）との比較結果による補正値のうち、第Ｎの代表階調（６４Ｇ）に対応する第１の補正値（ａ２Ｎ）、第２の補正値（ｂ２Ｎ）、第３の補正値（ｃ２Ｎ）、及び第４の補正値（ｄ２Ｎ）を算出する。
【０１３０】
光源駆動部は、第ｎ＋１のフレーム（（ｎ＋１）＿Ｆ）に対応する複数の発光駆動信号（ＬＳ＿Ｂ１、ＬＳ＿Ｂ２、…、ＬＳ＿ＢＮ）を生成する。
【０１３１】
例えば、第１の発光駆動信号（ＬＳ＿Ｂ１）は、第ｎ＋１のアクティブ区間ではノーマルレベル（ＮＯＲ＿ｌｅｖ）を有し、第ｎ＋１の垂直ブランク区間（ＶＢｎ＋１）ではノーマルレベル（ＮＯＲ＿ｌｅｖ）、第１の補正レベル（ａ１１）、第２の補正レベル（ｂ１１）、第３の補正レベル（ｃ１１）、及び第４の補正レベル（ｄ１１）を有する。第２の発光駆動信号（ＬＳ＿Ｂ２）は、第ｎ＋１のアクティブ区間ではノーマルレベル（ＮＯＲ＿ｌｅｖ）を有し、第ｎ＋１の垂直ブランク区間（ＶＢｎ＋１）ではノーマルレベル（ＮＯＲ＿ｌｅｖ）、第１の補正レベル（ａ２２）、第２の補正レベル（ｂ２２）、第３の補正レベル（ｃ２２）、及び第４の補正レベル（ｄ２２）を有する。第Ｎの発光駆動信号（ＬＳ＿ＢＮ）は、第ｎ＋１のアクティブ区間ではノーマルレベル（ＮＯＲ＿ｌｅｖ）を有し、第ｎ＋１の垂直ブランク区間（ＶＢｎ＋１）ではノーマルレベル（ＮＯＲ＿ｌｅｖ）、第１の補正レベル（ａ２Ｎ）、第２の補正レベル（ｂ２Ｎ）、第３の補正レベル（ｃ２Ｎ）、及び第４の補正レベル（ｄ２Ｎ）を有する。
【０１３２】
ついで、第ｎ＋２のフレーム（（ｎ＋２）＿Ｆ）が受信されると、ＶＢ感知部は、第ｎ＋２の垂直ブランク区間（ＶＢｎ＋２）のデータイネーブル信号又はクロック信号をカウントする。
【０１３３】
ヒストグラム分析部２３３は、第１の発光ブロック（Ｂ１）に対応する第１の代表階調（１９２Ｇ）を算出し、第２の発光ブロック（Ｂ２）に対応する第２の代表階調（１９２Ｇ）を算出し、第Ｎの発光ブロック（ＢＮ）に対応する第Ｎの代表階調（６４Ｇ）を算出する。
【０１３４】
図１０に示した第２のルックアップテーブル２３４を参照し、算出部２３５は、第１の発光ブロック（Ｂ１）に対して、カウンタ値（ＣＶ）と複数の基準カウンタ値（ＣＶ１、ＣＶ２、ＣＶ３、ＣＶ４、ＣＶ５）との比較結果による補正値のうち、第１の代表階調（１９２Ｇ）に対応する第１の補正値（ａ４１）、第２の補正値（ｂ４１）、及び第３の補正値（ｃ４１）を算出し、第２の発光ブロック（Ｂ２）に対して、カウンタ値（ＣＶ）と複数の基準カウンタ値（ＣＶ１、ＣＶ２、ＣＶ３、ＣＶ４、ＣＶ５）との比較結果による補正値のうち、第２の代表階調（１９２Ｇ）に対応する第１の補正値（ａ４２）、第２の補正値（ｂ４２）、及び第３の補正値（ｃ４２）を算出し、第Ｎの発光ブロック（ＢＮ）に対して、カウンタ値（ＣＶ）と複数の基準カウンタ値（ＣＶ１、ＣＶ２、ＣＶ３、ＣＶ４、ＣＶ５）との比較結果による補正値のうち、第Ｎの代表階調（６４Ｇ）に対応する第１の補正値（ａ２Ｎ）、第２の補正値（ｂ２Ｎ）、及び第３の補正値（ｃ２Ｎ）を算出する。
【０１３５】
光源駆動部は、第ｎ＋２のフレーム（（ｎ＋２）＿Ｆ）に対応する複数の発光駆動信号（ＬＳ＿Ｂ１、ＬＳ＿Ｂ２、…、ＬＳ＿ＢＮ）を生成する。
【０１３６】
例えば、第１の発光駆動信号（ＬＳ＿Ｂ１）は、第ｎ＋２のアクティブ区間ではノーマルレベル（ＮＯＲ＿ｌｅｖ）を有し、第ｎ＋２の垂直ブランク区間（ＶＢｎ＋２）ではノーマルレベル（ＮＯＲ＿ｌｅｖ）、第１の補正レベル（ａ４１）、第２の補正レベル（ｂ４１）、及び第３の補正レベル（ｃ４１）を有する。第２の発光駆動信号（ＬＳ＿Ｂ２）は、第ｎ＋２のアクティブ区間ではノーマルレベル（ＮＯＲ＿ｌｅｖ）を有し、第ｎ＋２の垂直ブランク区間（ＶＢｎ＋２）ではノーマルレベル（ＮＯＲ＿ｌｅｖ）、第１の補正レベル（ａ４２）、第２の補正レベル（ｂ４２）、及び第３の補正レベル（ｃ４２）を有する。第Ｎの発光駆動信号（ＬＳ＿ＢＮ）は、第ｎ＋２のアクティブ区間ではノーマルレベル（ＮＯＲ＿ｌｅｖ）を有し、第ｎ＋２の垂直ブランク区間（ＶＢｎ＋２）ではノーマルレベル（ＮＯＲ＿ｌｅｖ）、第１の補正レベル（ａ２Ｎ）、第２の補正レベル（ｂ２Ｎ）、及び第３の補正レベル（ｃ２Ｎ）を有する。
【０１３７】
本実施例によると、垂直ブランク区間のカウンタ値によって、複数の発光ブロックのそれぞれより発生する光の輝度を補正することで、垂直ブランク区間の変化によるイメージの輝度偏差を除去することができ、また複数の発光ブロックの輝度を個別に補正することで、位置別に輝度偏差を補正することができる。また、複数の発光ブロックの輝度を階調別に補正することで、階調別に輝度偏差を補正することができる。
【０１３８】
以下では、上記実施例と同一の構成要素は、同一の符号を付し、繰り返される説明は省略する。
【０１３９】
図１２は、本発明の一実施例によるタイミング制御部のブロック図である。
【０１４０】
図１２に示すように、タイミング制御部２００Ａは、ＶＢ感知部２１０と、モード決定部２２０と、輝度補正値算出部２３０とを含む。
【０１４１】
ＶＢ感知部２１０は、データイネーブル信号又はクロック信号をカウントして、垂直ブランク区間のカウンタ値を算出する。
【０１４２】
モード決定部２２０は、Ｍ個（Ｍは、自然数）のフレームに対して、垂直ブランク区間のカウンタ値をモード基準値と比較し、垂直ブランク区間が可変するＡｄａｐｔｉｖｅ−Ｓｙｎｃモードであるか、又は垂直ブランク区間が一定である一般の同期モードであるかを判断する。モード判断の結果、Ａｄａｐｔｉｖｅ−Ｓｙｎｃモードである場合、輝度補正値算出部２３０の動作をイネーブルさせ、一般の同期モードである場合、輝度補正値算出部２３０の動作をディスエーブルさせる。
【０１４３】
輝度補正値算出部２３０は、ＶＢ感知部２１０より提供された垂直ブランク区間のカウンタ値によって、光の輝度を補正するための補正値を算出する。輝度補正値算出部２３０は、図４、図５、及び図８を参照して説明した実施例と同様な駆動方法で輝度補正値を算出するか、又は図９、図１０、及び図１１を参照して説明した実施例と同様な駆動方法で輝度補正値を算出する。
【０１４４】
図１３は、図１２のタイミング制御部を含む表示装置の駆動方法を説明するためのフローチャートである。
【０１４５】
図１２及び図１３に示すように、ＶＢ感知部（２１０）は、Ｍ個（Ｍは、自然数）のフレームに対応するＭ個の垂直ブランク区間のカウンタ値を算出する（ステップＳ１１０）。
【０１４６】
モード決定部２２０は、Ｍ個の垂直ブランク区間のカウンタ値をモード基準値と比較する。モード決定部２２０は、Ｍ個の垂直ブランク区間のカウンタ値がいずれも同一であるか否かを判断する（ステップＳ１２０）。
【０１４７】
ステップＳ１２０の判断結果、Ｍ個の垂直ブランク区間のカウンタ値が同一でない場合、モード決定部２２０は、現フレームがＡｄａｐｔｉｖｅ−Ｓｙｎｃモードであると決定する（ステップＳ１３０）。即ち、Ａｄａｐｔｉｖｅ−Ｓｙｎｃモードは、上記実施例で説明したように、フレーム周波数及びフレームの垂直ブランク区間が可変する駆動モードである。
【０１４８】
モード決定部２２０は、Ａｄａｐｔｉｖｅ−Ｓｙｎｃモードで垂直ブランク区間の可変による輝度偏差を補正するために、輝度補正値算出部２３０をイネーブルさせる。
【０１４９】
輝度補正値算出部２３０は、図４、図５、及び図８を参照して説明した実施例と同様な駆動方法で輝度補正値を算出するか、又は図９、図１０、及び図１１を参照して説明した実施例と同様な駆動方法で輝度補正値を算出する（ステップＳ１４０）。
【０１５０】
一方、ステップＳ１２０の判断結果、モード決定部２２０は、Ｍ個の垂直ブランク区間のカウンタ値が同一である場合、Ｍ個の垂直ブランク区間のカウンタ値がモード基準値よりも大きいか否かを判断する（ステップＳ１５０）。
【０１５１】
ステップＳ１５０の判断結果、Ｍ個の垂直ブランク区間のカウンタ値が同一であり且つモード基準値よりも大きい場合、モード決定部２２０は、現フレームをＡｄａｐｔｉｖｅ−Ｓｙｎｃモードと判断し、輝度補正値を算出する（ステップＳ１３０及びＳ１４０）。
【０１５２】
一方、ステップＳ１５０の判断結果、Ｍ個の垂直ブランク区間のカウンタ値が同一であるが、モード基準値よりも小さい場合、モード決定部２２０は、現フレームを一般の同期モードとして判断する（ステップＳ１６０）。一般の同期モードは、フレーム周波数及び垂直ブランク区間が一定の駆動モードである。
【０１５３】
モード決定部２２０は、一般の同期モードに対応して輝度補正値算出部２３０をディスエーブルさせる（ステップＳ１７０）。
【０１５４】
本実施例によると、垂直ブランク区間の可変によるイメージの輝度偏差を、垂直ブランク区間のカウンタ値に基づいて、光の輝度レベルを補正することで除去することができる。また、光の輝度レベルを、イメージの階調に基づいて補正することができる。
【産業上の利用可能性】
【０１５５】
本発明は、表示装置と、これを含む様々な装置及びシステムに適用することができる。従って、本発明は、携帯電話、スマートフォン、ＰＤＡ、ＰＭＰ、デジタルカメラ、カムコーダ、ＰＣ、サーバコンピュータ、ワークステーション、ノート型パソコン、デジタルＴＶ、セットトップボックス、音楽再生機、携帯用ゲームコンソール、ナビゲーションシステム、スマートカード、プリンターなどのような様々な電子機器に有用に利用可能である。
【０１５６】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１５７】
１００    液晶表示パネル
２００、２００Ａ    タイミング制御部
２１０    垂直ブランク（ＶＢ）感知部
２２０    モード決定部
２３０、２３０Ａ    輝度補正値算出部
２３３    ヒストグラム分析部
２３４    第２のルックアップテーブル
２３５    算出部
３００    データ駆動部
４００    ゲート駆動部
５００    光源部
６００    光源駆動部
１０００    液晶表示装置
【図１】
2020030398.tif 000003
【図２】
2020030398.tif 000004
【図３ａ】
2020030398.tif 000005
【図３ｂ】
2020030398.tif 000006
【図３ｃ】
2020030398.tif 000007
【図３ｄ】
2020030398.tif 000008
【図４】
2020030398.tif 000009
【図５】
2020030398.tif 000010
【図６】
2020030398.tif 000011
【図７ａ】
2020030398.tif 000012
【図７ｂ】
2020030398.tif 000013
【図７ｃ】
2020030398.tif 000014
【図７ｄ】
2020030398.tif 000015
【図７ｅ】
2020030398.tif 000016
【図７ｆ】
2020030398.tif 000017
【図８】
2020030398.tif 000018
【図９】
2020030398.tif 000019
【図１０】
2020030398.tif 000020
【図１１】
2020030398.tif 000021
【図１２】
2020030398.tif 000022
【図１３】
2020030398.tif 000023